(57)【要約】【課題】局部洗浄装置の複数のモード設定を、簡単な構成で確実に実行すること。【解決手段】複数の動作モードを有する局部洗浄装置であって、前記局部洗浄装置へ電源を供給する電源供給手段と、前記電源供給手段から供給された電源周波数を判定する電源周波数判定手段と、前記局部洗浄装置に内蔵した負荷を駆動制御する制御部と、前記電源供給手段から入力された電源周波数に対応して実行する動作モードを記憶した記憶手段と、を備え、前記電源周波数判定手段は前記電源供給手段より入力された電源の周波数を判定し、前記制御部は、前記記憶手段に記憶された電源周波数と動作モードの対応に基づいて前記電源周波数判定手段で判定された周波数に対応した動作モードを実行する。【選択図】図１
2011111792.tif 000002
【特許請求の範囲】
【請求項１】
複数の動作モードを有する局部洗浄装置であって、
前記局部洗浄装置へ電源を供給する電源供給手段と、
前記電源供給手段から供給された電源周波数を判定する電源周波数判定手段と、
前記局部洗浄装置に内蔵した負荷を駆動制御する制御部と、
前記電源供給手段から入力された電源周波数に対応して実行する動作モードを記憶した記憶手段と、
を備え、
前記電源周波数判定手段は前記電源供給手段より入力された電源の周波数を判定し、
前記制御部は、前記記憶手段に記憶された電源周波数と動作モードの対応に基づいて前記電源周波数判定手段で判定された周波数に対応した動作モードを実行する局部洗浄装置。
【請求項２】
電源周波数判定手段は、所定の時間で切り替わる電源周波数を順次判定し、
記憶手段は複数の電源周波数の組み合わせに対応する複数の動作モードを記憶し、
制御部は、前記記憶手段に記憶された情報に基づいて前記電源周波数判定手段により判定された複数の電源周波数の組み合わせに対応した動作モードを実行する構成とした請求項１に記載の局部洗浄装置。
【発明の詳細な説明】
【技術分野】
【０００１】
本発明は局部洗浄装置に関するものである。
【背景技術】
【０００２】
従来、局部洗浄装置では人が便座に着座したことを検知する着座センサにより着座時のみ洗浄用のノズルが収納部より出てノズルの先端より洗浄水が出る構成となっている。
【０００３】
しかし商品展示時や生産ラインでの検査においては非着座の状態でノズルの動作をさせる必要からデモンストレーションモード（以下デモモードと言う）や製造ラインでの検査用に検査モードと呼ばれる、通常のユーザーの使用状態（以下、通常モード）と異なる動作をするモードを設け、そのデモモード、検査モードと通常モードの切り替え手段が提案されている。
【０００４】
切り替え手段の例として電源投入時に特定のスイッチが押されているとデモモードと判定するものが提案されている（例えば、特許文献１参照）。
【０００５】
図４は、特許文献１に記載された従来の局部洗浄装置を示すものである。図４に示すように、モード管理手段１２と、電源投入検出手段１３、動作スイッチ１４、強制スイッチ受付モード実行手段１９から構成されている。
【先行技術文献】
【特許文献】
【０００６】
【特許文献１】特開平６―１３６８０６号公報
【発明の概要】
【発明が解決しようとする課題】
【０００７】
しかしながら、前記従来の構成では、デモモードに設定するため電源投入時に強制スイッチが押されている必要がある。例えば展示用に設置していた場合、毎日電源投入を行い、電源投入時に強制スイッチを押す必要があり手間がかかる。また手動の操作を伴う為、特に、このような特殊モードの設定は通常の使用者が誤って操作してしまうことのないように、通常ではありえない操作の組み合わせであったり、少々無理な操作を伴ったりすることもあり、確実性に欠けるという課題を有していた。また複数のデモモードに設定するには複数操作をするように構成する必要があり煩雑な構成で、複雑な操作になる。
【０００８】
本発明は、前記従来の課題を解決するもので、容易に且つ確実に複数の動作モードに設定が出来る局部洗浄装置を提供することを目的とする。
【課題を解決するための手段】
【０００９】
前記従来の課題を解決するために、本発明の局部洗浄装置は、複数の動作モードを有する局部洗浄装置であって、前記局部洗浄装置へ電源を供給する電源供給手段と、前記電源供給手段から供給された電源周波数を判定する電源周波数判定手段と、前記局部洗浄装置に内蔵した負荷を駆動制御する制御部と、前記電源供給手段から入力された電源周波数に対応して実行する動作モードを記憶した記憶手段と、を備え、前記電源周波数判定手段は前記電源供給手段より入力された電源の周波数を判定し、前記制御部は、前記記憶手段に記憶された電源周波数と動作モードの対応に基づいて前記電源周波数判定手段で判定された周波数に対応した動作モードを実行するものである。
【００１０】
この構成によって、供給する電源周波数を変更するだけで、あらかじめ設定された入力電源周波数に対応した動作モードを選択して実行することができる。
【発明の効果】
【００１１】
本発明の局部洗浄装置は、機器に何ら操作を加えることなく容易にかつ確実に複数の動作モードのうちの選択した動作モードを実行することができる。
【図面の簡単な説明】
【００１２】
【図１】本発明の実施の形態１における局部洗浄装置の制御ブロック図
【図２】本発明の実施の形態１における局部洗浄装置の動作フローチャート
【図３】本発明の実施の形態２における局部洗浄装置の動作フローチャート
【図４】従来の局部洗浄装置を説明する図
【発明を実施するための形態】
【００１３】
第１の発明は、複数の動作モードを有する局部洗浄装置であって、前記局部洗浄装置へ電源を供給する電源供給手段と、前記電源供給手段から供給された電源周波数を判定する電源周波数判定手段と、前記局部洗浄装置に内蔵した負荷を駆動制御する制御部と、前記電源供給手段から入力された電源周波数に対応して実行する動作モードを記憶した記憶手段と、を備え、前記電源周波数判定手段は前記電源供給手段より入力された電源の周波数を判定し、前記制御部は、前記記憶手段に記憶された電源周波数と動作モードの対応に基づいて前記電源周波数判定手段で判定された周波数に対応した動作モードを実行するものである。
【００１４】
この構成によって、供給する電源周波数を変更すると、あらかじめ設定された入力電源周波数に対応した動作モードの中から、入力された電源周波数に対応した動作モードを実行することができる。交流安定化電源周波数変換器などの汎用装置で任意の電源を発生させ、電源供給手段への入力が容易にできるので、動作モードの変更が容易にできる。
【００１５】
第２の発明は、電源周波数判定手段は、所定の時間で切り替わる電源周波数を順次判定し、
記憶手段は複数の電源周波数の組み合わせに対応する複数の動作モードを記憶し、
制御部は、前記記憶手段に記憶された情報に基づいて前記電源周波数判定手段により判定された複数の電源周波数の組み合わせに対応した動作モードを実行する構成としたものである。
【００１６】
この構成によって、電源周波数の組み合わせを変えて入力するだけで選択した動作モードの実行が可能となるので、より多くの動作モードをあらかじめ設定し、そのなかから特定の動作モードを実行することがより確実となる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における局部洗浄装置の制御ブロックの構成を示すものである。
【００１９】
図１において、電源供給手段１は、商用電源を局部洗浄装置に供給するコンセントである。これは、通常は５０Ｈｚ、または６０Ｈｚの商用電源から電源供給される。電源周波数判定部２を介して制御部６に電源が入力され、局部洗浄装置に搭載される各種機能ユニットにそれぞれ電力を供給する。図示しない便座への着座を検出する着座スイッチ３、図
示しない操作部に設けられて使用者が局部を洗浄する際に指示するためのおしり洗浄スイッチ４、複数の電源周波数毎に対応する動作モードを記憶した記憶手段５が、制御部６に信号を送出する。便座の開閉制御を行う駆動ユニットからなる便座駆動部７、局部洗浄ノズルの駆動や洗浄水噴出動作を行うノズル駆動部８は制御部６によって制御されている。着座スイッチ３は、便座の回動軸に設けてあり、人体が便座に着座して回動軸に荷重がかかる状態とかからない状態とで、スイッチが入り切りするというものである。また、一般的な光学式の着座検知センサを便座本体部などに設けたものであってもよい。
【００２０】
本実施の形態において、記憶手段５に、通常の商用電源５０Ｈｚまたは６０Ｈｚであれば通常の動作モードで、電源周波数が５２Ｈｚ以上５５Ｈｚ未満で、局部洗浄ノズルの駆動を見せるためのデモモード１、電源周波数が５５Ｈｚ以上５８Ｈｚ未満で、便座の開閉駆動を見せるためのデモモード２というように対応する動作モードが記憶されている。
【００２１】
以上のように構成された局部洗浄装置について、通常の動作モードにおいては、次のように動作する。便座に人体が着座すると着座スイッチ３が着座を検知して、おしり洗浄やビデ洗浄などの洗浄にかかわるスイッチが有効となる。おしり洗浄スイッチ４を押すと、局部洗浄ノズルが待機位置から突出して、栓浄水を噴出しておしりを洗浄する。また、着座しないまま誤っておしり洗浄スイッチ４を押してしまった場合であれば着座スイッチ３が非着座ＯＦＦのままなので、洗浄にかかわるスイッチは無効となり、局部洗浄ノズルは動作をしない。
【００２２】
デモモード１であれば、着座しないまま着座スイッチ３が着座を検知しない状態でおしり洗浄スイッチ４を押されると、局部洗浄ノズルを突出させて洗浄水を噴出させる。
【００２３】
次に、各動作モードの判定とその動作について、以下、図１の制御ブロックの構成図及び図２の動作フローチャートとともにその動作、作用を説明する。
【００２４】
図１の電源供給手段１に電源が供給される。ここで、電源として汎用の電源周波数変換器を用いる。商用電源の周波数である５０Ｈｚ、６０Ｈｚ以外の５２Ｈｚ（以下ｆｌと言う）と５８Ｈｚ（以下ｆｈと言う）を選択的に出力するように設定する。汎用の電源周波数変換器に電源供給部１のコンセントを差し込み、電源周波数変換器において入力する周波数の設定を行う。電源周波数判定部２は供給された電源の周波数がｆｌかｆｈであるか判定し制御部３に判定した信号を送る。そして、記憶手段５に保存された各周波数に対応する動作モードを選択して、制御部６は各機能部を制御する。
【００２５】
次に図２に基づいて電源周波数の判定及び判定後の各モードの動作を説明する。ステップＳ１で印加された電源周波数が５２Ｈｚ以下であるか又はステップＳ７で５８Ｈｚ以上であればステップＳ３で通常モードと設定する。
【００２６】
通常モードにおいてはステップＳ４で洗浄スイッチ４が押されているか判断し押されていればステップＳ５で着座スイッチ４がオン即ち着座状態を判断し着座状態であればステップＳ６でノズル駆動部８によりノズルを駆動する。着座状態でなければノズル駆動せず処理を終了する。
【００２７】
前述のステップＳ７で５８Ｈｚ以下と判定した場合はデモモードでありステップＳ８で５５Ｈｚ以下の場合はデモモード１と設定しステップＳ１０で洗浄スイッチが押されれば着座スイッチ２がオンでなくてもノズルを駆動する。
【００２８】
ステップＳ８で５５Ｈｚ以上であればステップＳ１１でデモモード２と設定しステップＳ１２、ステップＳ１３の処理により便座駆動部７を制御して、１０秒毎に便座の開閉を
実行する。
【００２９】
本実施例では電源周波数として商用周波数である５０Ｈｚと６０Ｈｚの間の２つの周波数を動作モード判定用の周波数としたが、電源回路の動作が可能な範囲で５０Ｈｚ以下または６０Ｈｚ以上の任意の周波数とすることが可能である。これにより電源周波数判定手段２に要求される判定精度が緩和される。
【００３０】
以上のように、本実施の形態においては電源供給部から供給される電源の周波数を判定し、それにより複数の動作モードから対応する動作モードを選択的に実行することにより、外部より特殊な操作を行って動作モードを実行するのではなく、容易にかつ確実に所望する動作を実行することができる。通常の動作時に電源供給する電源供給部と兼用するので、動作モード変更用の特殊な電源供給部が必要というわけではなく、汎用の電源周波数変換器を用いれば、所望の電源周波数の入力は簡単に行うことができるので、複数のデモモードを設けて、各種の実演を行う場合など、容易に実行できる。
【００３１】
（実施の形態２）
図３は、本発明の第２の実施の形態におけるデモモード判定の動作を示すフローチャートである。本発明の第１の実施の形態における局部洗浄装置の制御ブロックの構成と同様の構成であり、通常モードと、デモモード１における動作は実施例１と同様であるので符号の説明と通常モード、デモモード１についての動作の説明を省略する。さらに、デモモード２としてビデ洗浄ノズルが非着座の状態で突出して洗浄水を噴出させる動作、デモモード３として、ノズルが突出したままノズルクリーニングを行う動作、デモモード４として、洗浄水の噴出する洗浄パターンをかえた場合、例えば洗浄水の強弱繰り返しのリズム洗浄噴流を噴出する動作として、設定する。
【００３２】
周波数判定手段２は、所定時間で切り替わる入力電源周波数を判定するものであり、記憶手段５には、複数の周波数の組み合わせに対応した動作モードを記憶している。本実施の形態では、周波数判定手段２は所定の時間で切り替わる２つの周波数を第１周波数、第２周波数として判定し、記憶手段５には２つの周波数の組み合わせに応じて、４つの動作モードが記憶されている。第１周波数と第２周波数との組み合わせに対応したデモモード設定の関係を表１に示す。
【表１】
2011111792.tif 000003
【００３３】
上記構成によるデモモードの判定動作について説明する。電源供給手段１は、交流電源周波数変換器（図示せず）に接続され、これを操作して２種類の周波数が所定時間で切り替わるよう出力するように設定する。電源供給部１から入力された電源は電源周波数判定部２において周波数を判定する。ステップＳ１４では第１周波数が確定しているかどうかを、フラグを参照することで判断し確定していなければステップＳ１５で電源周波数が５５Ｈｚ以下であればステップＳ１６で第１周波数をＬと確定、５５Ｈｚ以上であればＨと確定する。
【００３４】
ステップＳ１４で既に第１周波数が確定しているときはステップＳ１８へ進み、ここで
は第２周波数が５５Ｈｚ以下であればステップＳ１９で第１周波数がＬであればステップＳ２０でデモモード１と設定する。第１周波数がＨであればステップＳ２１でデモモード２と設定する。
【００３５】
ステップＳ１８で電源周波数が５５以上であればステップＳ２２へ進み、ステップＳ１９での処理と同様にデモモード３、デモモード４を設定する。
【００３６】
外部より供給する電源の周波数は所定の時間、５５Ｈｚ以下の例えば５３Ｈｚを機器に供給し、その後次の周波数に切り替えて供給する。
【００３７】
このように、供給する電源周波数を切り替えて入力することで、入力の切り替えパターンにより複数の動作モードに対しても、動作モードを確実で容易に設定して実行出来る。
【００３８】
本実施では２つの周波数を時間経過とともに２回切り替える例を示したが３回切り替えれば８種の動作モードを選択できる。また、供給する電源周波数を３種以上切り替えることも可能である。これにより、より数の多い動作モードの設定がある場合にも電源周波数の入力を変えるだけで、確実で、容易に必要な動作モードを特定して実行することができる。
【産業上の利用可能性】
【００３９】
以上のように、本発明にかかる局部洗浄装置は、機器に外部より専用の操作、信号を与えることなく、供給電源周波数を変えるだけで、複数の動作モードから必要な動作モードを選択することが可能となるので、生産ラインでの検査時やメインテナンス等の用途にも適用できる。
【符号の説明】
【００４０】
１  電源供給手段
２  電源周波数判定手段
５  記憶手段
６  制御部
【図１】
2011111792.tif 000004
【図２】
2011111792.tif 000005
【図３】
2011111792.tif 000006
【図４】
2011111792.tif 000007